【事件の表示】
　特願２００２−　１５８８８「感光装置」拒絶査定不服審判事件〔平成１４年１１月２９日出願公開、特開２００２−３４４６９４〕について、次のとおり審決する。
【結　論】
　本件審判の請求は，成り立たない。
【理　由】
第１　手続きの経緯・本願発明
　本願は，平成１４年１月２４日（パリ条約による優先権主張２００１年１月３０日，アメリカ合衆国）の出願であって，平成１８年６月２３日付け拒絶理由が通知され，これに対し，同年９月２７日に意見書が提出されるとともに，同日付けで手続補正がなされたところ，平成１９年６月５日付けで拒絶査定がされ，これに対して同年９月５日に拒絶査定不服審判が請求されたものである。
　本願の特許請求の範囲の請求項１ないし７に係る発明は，平成１８年９月２７日付け手続補正書により補正された明細書及び図面の記載からみて，その特許請求の範囲の請求項１ないし７に記載されたものと認められるところ，その請求項１に係る発明（以下，「本願発明」という。）は，次のとおりのものである。
　
「感光装置であって，
　第１の組の活性光センサが接続された第１のビデオラインであって，各活性光センサが光強度を表す信号を前記第１のビデオラインに出力する第１のビデオラインと，
　前記第１のビデオラインと接続された第１の補正コンデンサであって，前記第１のビデオライン上の前記活性光センサからの信号に影響を与えるために補正電荷を保持する第１の補正コンデンサと，
　受光しないようになされており，前記第１のビデオライン上に基準信号を出力する少なくとも１つの暗光センサと，
　第２の組の活性光センサが接続された第２のビデオラインであって，各活性光センサが光強度を表す信号を前記第２のビデオラインに出力する第２のビデオラインと，
　前記第２のビデオラインと接続された第２の補正コンデンサであって，前記第２のビデオライン上の前記活性光センサからの信号に影響を与えるために補正電荷を保持する第２の補正コンデンサと，
　前記第１のビデオライン及び前記第２のビデオラインからの信号を受け取る多重化ノードと，
　前記多重化ノードの下流の信号にオフセット補正を実施するための最終補正手段であって，前記多重化ノードと接続された主補正コンデンサを含み，前記主補正コンデンサが前記活性光センサからの電圧信号に前記第１のビデオライン及び前記第２のビデオラインから影響を与えるために補正電荷を保持する最終補正手段と，
　前記主補正コンデンサにおける前記補正電荷を決定する手段であって，前記暗光センサからの複数の電圧信号を時間的にサンプリングしかつ前記暗光センサからの複数のサンプリングされた電圧信号に基づいて前記補正電荷を生成する決定手段と，
を含むことを特徴とする，感光装置。」
　
　なお，「最終補正手段」における「前記多重化ンード」との記載は，「前記多重化ノード」の誤記であることは明らかであるので，上記のように認定した。
　
第２　引用例
　原査定の拒絶の理由で引用された特開平４−７９５７２号公報（以下，「引用例１」という。）には，図面とともに以下の事項が記載されている。（記載箇所は段落番号等で表示）
　
　ア　「イメージスキャナに使用される固体撮像素子は，受光部を一列に配列してなるラインセンサと呼ばれる構成を有し，このように一方向に集積化することにより解像度を高めている。
　また，大きな原稿を撮像するには，長い固体撮像素子が必要となるため，通常４個程度の固体撮像素子を長手方向に一列に配設して大きな原稿を撮像できるようにしている。
　ところでこのような複数の固体撮像素子の撮像信号を合成して順次信号とした場合，各面体撮像素子の出力信号のバランスを取ることが必要である。」（第２頁左上欄第５行ないし第１６行）
　
　イ　「第３図との対応部分に同一符号を付して示す第１図において，各固体撮像素子１１ａ〜１１ｄの出力信号５ａ〜Ｓｄは，コンデンサ１２ａ〜１２ｄを介して順次回路１３に供給される。
　コンデンサ１２ａ〜１２ｄの出力端子には，第１のクランプ回路２１が設けられている。この第１のクランプ回路２１は，一端が出力端子に接続されかつ他端が共通に定電圧源２２に接続されたスイッチ１５ａ〜１５ｄよりなり，第２図に示すように，共通のクロックパルスＣＫ１（第２図（Ｈ））によって，基準電位期間Ｔ０において出力信号Ｓａ，Ｓｂ……（第２図（Ａ１），（Ａ２）……）を定電圧源２２の出力電圧で定まる電位にクランプした後，順次回路１３に出力信号Ｓａｘ，Ｓｂｘ……（第２図（Ｂ１），（Ｂ２）……）として供給する。
　かくして第１のクランプ回路２１は，基準電位期間Ｔ０において出力信号Ｓａｘ〜Ｓｄｘを共通の基準電位に設定するようになされている。
　順次回路１３により順次化された順次信号Ｓｓｃ（第２図（Ｃ））は，第２のクランプ回路２３に接続される。この第２のクランプ回路２３は，クランプパルスＣＫ１によって画素ごとに順次信号Ｓｓｃの基準電位期間Ｔ０をクランプする。かくしてクランプされた出力順次信号Ｓｓｃｘはサンプルホールド回路２４において，サンプルパルスＣＫ２（第２図（Ｉ））によってサンプルホールドされ，これにより出力順次信号Ｓｓｃｘからプリチャージ期間Ｔｐ，基準電位期間Ｔ０等の不要信号を除去し，撮像期間Ｔｔの信号レベルに基づいて出力信号ＳＯＵＴが形成される。
　この実施例の場合，サンプルホールド回路１７は撮像信号サンプルホールド回路２５と，基準電位サンプルホールド回路２６を有し，撮像信号サンプルホールド回路２５はサンプルホールドパルスＣＫ２によって撮像期間Ｔｔにおける信号レヘルを抽出すると共に，基準電位サンプルホールド回路２６は，クランプパルスＣＫ１によって基準電位期間Ｔ０における信号レベルを抽出する。
　かくして得られる撮像信号サンプルホールド回路２４のサンプルホールド出力Ｓｈ（第２図（Ｄ））は周知の演算増幅器構成の加算回路２７において基準電位サンプルホールド回路２５のサンプルホールド出力Ｓｅ（第２図（Ｅ））を減算され，その減算出力が撮像出力信号ＳＯＵＴとして送出される。」（第３頁左上欄第５行ないし左下欄第１０行）
　
　ウ　「また，これら固体撮像素子１１ａ〜１１ｄのＤＣバランスも異なる。
　しかし出力信号Ｓａ〜Ｓｄのばらつきは，第１のクランプ回路２１により，基準電位期間Ｔ０において，基準電位レベルが強制的に定電圧源２２の出力電圧で定まる基準電位にクランプされたとき除去される。」（第３頁右下欄第１行ないし第７行）
　
　エ　「さらに，サンプルホールド回路２４では，撮像信号に含まれる基準電位のレベル変動に起因するレベル変動が除去される。すなわち，撮像信号サンプルホールド回路２５においてサンプルクロックパルスＣＫ２により撮像期間Ｔｔにおける順次信号Ｓｓｃの信号レベルをサンプルホールドすることにより得られるサンプルホールド信号Ｓｈに含まれる誤差成分は，基準電位サンプルホールド回路２６においてクランプクロックＣＫ１により基準電位期間Ｔ０における順次信号Ｓｓｃの信号レベルをサンプルホールドすることにより得られるサンプルホールド信号Ｓｅでなる誤差信号によって補正される。その結果加算回路２６は，誤差のない撮像出力信号ＳＯＵＴを送出することかできる。」（第４頁左上欄第１１行ないし右上欄第４行）
　
　上記アないしエの記載及び図面によると，引用例１には，
　
　固体撮像素子の出力回路において，
　イメージスキャナに使用される固体撮像素子は，受光部を一列に配列してなるラインセンサと呼ばれる構成を有するものであって，大きな原稿を撮像するために，通常４個程度の固体撮像素子を長手方向に一列に配設され，
　前記固体撮像素子１１ａ〜１１ｄの出力信号Ｓａ〜Ｓｄは，コンデンサ１２ａ〜１２ｄを介して順次回路に供給されるものであって，前記コンデンサ１２ａ〜１２ｄの出力端子には，第１のクランプ回路２１が設けられ，この第１のクランプ回路２１は，一端が出力端子に接続されかつ他端が共通に定電圧源２２に接続されたスイッチ１５ａ〜１５ｄよりなり，基準電位期間Ｔ０において出力信号Ｓａ〜Ｓｄを定電圧源２２の出力電位で定まる電位にクランプすることで，出力信号Ｓａ〜Ｓｄのばらつきを除去した後，前記順次回路１３に出力信号Ｓａｘ〜Ｓｄｘを供給し，
　前記順次回路１３により順次化された順次信号Ｓｓｃは，第２のクランプ回路に接続され，クランプされた出力順次信号Ｓｓｃｘはサンプルホールド回路２４において，撮像信号に含まれる基準電位のレベル変動に起因するレベル変動が除去され，撮像出力信号Ｓｏｕｔを送出する，固体撮像素子の出力回路。
　
の発明（以下，「引用発明」という。）が記載されていると認められる。
　
　同じく，原査定の拒絶の理由で引用された米国特許第５６５４７５５号明細書（以下，「引用例２」という。）には次の事項が図面と共に開示されている。（記載箇所は段落番号等で表示）
　なお，和訳文は，当審で付したものである。
　
　オ　「In the plan view of FIG. 1, there is shown a long array of active (i.e., photosensitive) photosensors 102 which share a common video line 108 with a plurality of dark photosensor photosensors 110, which are individually indicated as D1-D4.」（第９頁第４欄第４行ないし第８行）
　
（和訳）
　図１の平面図には，Ｄ１−Ｄ４として個別に示された複数の“暗光センサ”である光センサ１１０と共通ビデオライン１０８を共有する活性（すなわち感光性の）光センサ１０２の長いアレイが示されている。
　
　カ　「As mentioned above, the dark photosensors 110 are typically of the same general structure as the active photosensors 102, except that they are not exposed to light in any way.」（第９頁第４欄第２５行ないし第２８行）
　
（和訳）
　上述したように，暗光センサ１１０は，どこからも光にさらされない点を除けば，典型的には活性光センサ１０２と概ね同じ構造である。
　
　キ　「In a typical embodiment of a chip such as 100 with four dark photosensors 110, the selection of four dark photosensors is mandated mainly by standard engineering practice; typically, only one such dark photosensor, such as dark photosensor D3, is used to determine the offset for the subsequent readout of active photosensors. At the beginning of each readout, when it is the turn of dark photosensor D3 to output its dark photosensor signal onto video line 108, a reference voltage, from a source 132 in parallel to the video line 108, is activated, such as through a switch 134. The output of the dark photosensor D3 of dark photosensors 110, simultaneous with the application of reference voltage V.sub.REF on the other side of correction capacitor 130, has the effect of placing on correction capacitor 130 a charge, referred to as the correction charge, representative of both the dark photosensor signal and V.sub.REF.」（第９頁第４欄第６２行ないし第９頁第５欄第１０行）
　
（和訳）
　４つの暗光センサ１１０を備えた１００のようなチップの典型的な実施態様では，４つの暗光センサの選択は，主に標準的な工学技術的な慣例によって決まる。典型的には，暗光センサＤ３のような，たった一つのみの暗光センサが，それに続く活性光センサの読み出しのためのオフセットを決定するために用いられる。暗光センサＤ３がビデオライン１０８へ暗光センサ信号を出力する順番となる各読み出しの開始時には，ビデオライン１０８と並行にある電源１３２からの基準電圧が，例えばスイッチ１３４などを通じてアクティブとなる。補正コンデンサ１３０の他端に基準電圧ＶＲＥＦが印加されると同時に，暗光センサ１１０のうち暗光センサＤ３の出力は，暗光センサ信号とＶＲＥＦの両方で表される“補正電荷”と呼ばれる電荷を補正コンデンサ１３０に蓄積する効果を持っている。
　
　ク　「dark photosensor D3 of dark photosensors 110 has output its dark signal onto video line 108」（第１０頁第５欄第１４行ないし第１５行）
　
（和訳）
　暗光センサ１１０のうちの暗光センサＤ３がビデオライン１０８に暗信号を出力する
　
　ケ「The signal from dark photosensor 3 will, through correction capacitor 130, influence the magnitude of all voltage signals from the active photosensors 102 through the whole scan.」（第１０頁第５欄第２７行ないし第３０行）
　
（和訳）
　暗光センサ３からの信号は，補正コンデンサ１３０を介して，スキャン全体にわたって活性光センサ１０２からの全ての電圧信号の大きさに影響を与えることになる。
　
　コ　「FIG. 3 is a schematic diagram of a simple embodiment of a dark photosensor offset circuit according to the present invention. It will be noted that the circuit of FIG. 3 shares key similarities with the simple circuit of FIG. 2: the circuit of FIG. 3 is disposed at the end of the video line 108, so as to receive signals from both the dark photosensors 110 and the active photosensors 102. There is also a unity gain amplifier 128, and correction capacitor 130 on the video line.」（第１０頁第５欄第４８行ないし第５６行）
　
（和訳）
　図３は本発明に従って暗光センサのオフセット回路を単純化した実施形態である。図３の回路は図２の単純化した回路と主要な類似点を共有するものであることに留意すべきである。図３の回路は，暗光センサ１１０と活性光センサ１０２の両方からの信号を受信するように，ビデオライン１０８の終端に配置される。ビデオライン１０８には，単一利得増幅器１２８と，補正コンデンサ１３０が存在している。
　
　サ　「This RC, in turn, is connected through an average voltage line 142 (which may include a unity-gain amplifier as shown), to selectably apply an average voltage V.sub.AVE to the video line 108 when activated by switching means 144.」（第１０頁第５欄第６０行ないし第６３行）
　
（和訳）
　このＲＣ回路は，スイッチ手段１４４によってアクティブとされた時，ビデオライン１０８に平均電圧ＶＡＶＥを選択的に供給するために，平均電圧ライン１４２（図示された単一利得増幅器を含んでもよい）を通して接続される。
　
　シ　「The RC circuit 140 functions as an averaging circuit which samples the video from both the dark photosensor D2 and dark photosensor D3 with every scan on video line 108. The values of R and C of the RC circuit 140 should be set so that samples of the video signals from dark photosensor D2 and dark photosensor D3 over a relatively large number of scans are accumulated. In other words, R and C should provide a time constant by which the effect of numerous scans of dark photosensors D2 and D3 loaded onto the RC circuit 140 cause the RC circuit 140 to maintain a running average of the outputs of dark photosensors D2 and D3 over a large number of scanlines.」（第１０頁第６欄第３４行ないし第４５行）
　
（和訳）
　ＲＣ回路１４０は，暗光センサＤ２と暗光センサＤ３の両方からのビデオを，ビデオライン１０８のスキャン毎にサンプリングする平均化回路として機能する。ＲＣ回路のＲとＣの値は，比較的多数のスキャンにわたって暗光センサＤ２と暗光センサＤ３からのビデオ信号のサンプリング値が蓄積できるように設定されるべきものである。言い換えれば，ＲとＣは時定数を規定すべきものであって，それによってＲＣ回路１４０に多数のスキャンの暗光センサＤ２とＤ３が取り込まれ，その結果，ＲＣ回路１４０には，多数のスキャンラインにわたる暗光センサＤ２とＤ３の出力の移動平均が保持される。
　
　ス　「The charge on RC circuit 140, which as mentioned above is representative of an average of a large number of samples from dark photosensors D2 and D3 over many scanlines, is used to set correction capacitor 130 prefatory to the readout of the active photosensors on video line 108.」（第１１頁第７欄第６行ないし第１１行）
　
（和訳）
　上述したように，多くのスキャンラインにわたって暗光センサＤ２とＤ３からサンプリングされた多数の値の平均によって表されるＲＣ回路の電荷は，前述の活性光センサのビデオライン１０８への読み出しに先んじて，補正コンデンサ１３０に用いられる。
　
　上記オないしスの記載及び図面によると，引用例２には，
　
　複数の暗光センサ１１０と共通ビデオライン１０８を共有する活性光センサ１０２の長いアレイを有し，
　暗光センサ１１０のうちの暗光センサＤ３は，どこからも光にさらされないものであって，共通ビデオライン１０８に暗光センサ信号を出力し，
　共通ビデオライン１０８の終端には，単一利得増幅器１２８と，補正コンデンサ１３０を含む回路が配置され，
　暗光センサＤ３の出力は，暗光センサ信号と基準電圧ＶＲＥＦの両方で表される“補正電荷”と呼ばれる電荷を補正コンデンサ１３０に蓄積するものであって，補正コンデンサ１３０を介して，スキャン全体にわたって活性光センサ１０２からの全ての電圧信号の大きさに影響を与え，
　多くのスキャンラインにわたって暗光センサＤ３からサンプリングされた多数の値の平均によって表されるＲＣ回路１４０の電荷が，活性光センサ１０２のビデオライン１０８への読み出しに先んじて，補正コンデンサ１３０に用いられることで，ビデオ信号のオフセットを決定する
　
技術が記載されていると認められる。
　
第３　対比
　本願発明と引用発明とを対比する。
　引用発明における「固体撮像素子」は，受光部を一列に配列してラインセンサと呼ばれる構成を有し，受光部が受光，つまり本願発明の「感光」を行うものであることは明らかであるから，引用発明の「固体撮像素子の出力回路」と本願発明の「感光装置」とは，ともに感光する装置という点で共通する。
　
　引用発明の「受光部」は，本願発明の「活性光センサ」に相当する。
　引用発明における，受光部を一列に配列してなる「固体撮像素子１１ａ〜１１ｄ」と，本願発明の「第１組の活性光センサ」，「第２組の活性光センサ」とは，複数組の「活性光センサ」である点で共通する。
　引用発明の「出力信号Ｓａ〜Ｓｄ」は，受光部を一列に配列してなる固体撮像素子の出力であるから，本願発明の「光強度を表す信号」に相当する。
　したがって，引用発明における，固体撮像素子１１ａ〜１１ｄのそれぞれからコンデンサ１２ａ〜１２ｄを介して順次回路まで出力信号Ｓａ〜Ｓｄが供給される“配線”と，本願発明の「第１のビデオライン」，「第２のビデオライン」とは，ある組の活性光センサが接続されたビデオラインであって，各活性光センサが光強度を表す信号を前記ビデオラインに出力するビデオラインである点で共通し，さらに両者は，これを複数備える点で共通する。
　
　引用発明のコンデンサ１２ａ〜１２ｄの出力端子には，第１のクランプ回路２１が設けられており，この第１のクランプ回路によって，固体撮像素子１１ａ〜１１ｄからの出力信号Ｓａ〜Ｓｄは基準電位期間Ｔ０において定電圧源２２の出力電位で定まる電位にクランプされることで，出力信号Ｓａ〜Ｓｄのばらつきが除去されるものであるから，この第１のクランプ回路のクランプ処理によって，コンデンサ１２ａ〜１２ｄには，固体撮像素子１１ａ〜１１ｄからの出力信号Ｓａ〜Ｓｄに影響を与える補正電荷が保持されていることは明らかである。
　したがって，引用発明における「コンデンサ１２ａ〜１２ｄ」と，本願発明の「第１の補正コンデンサ」，「第２の補正コンデンサ」とは，「ビデオラインと接続された補正コンデンサであって，前記ビデオライン上の活性光センサからの信号に影響を与えるために補正電荷を保持する補正コンデンサ」である点で共通し，さらに両者は，これを複数備える点で共通する。
　
　引用発明の「順次回路」は，第１のクランプ回路２１から複数の配線を介して入力される出力信号Ｓａｘ〜Ｓｄｘを１つの順次信号とするものであるから，本願の「多重化ノード」とは，複数の「ビデオラインからの信号を受け取る多重化ノード」である点で共通する。
　
　以上を踏まえると，両者の一致点，相違点は以下のとおりである。
　
【一致点】
　感光装置であって，
　ある組の活性光センサが接続されたビデオラインであって，各活性光センサが光強度を表す信号を前記ビデオラインに出力するビデオラインを複数備え，
　前記ビデオラインと接続された補正コンデンサであって，前記ビデオライン上の前記活性光センサからの信号に影響を与えるために補正電荷を保持する補正コンデンサを複数備え，
　前記複数ビデオラインからの信号を受け取る多重化ノードと，
を含む，感光装置。
　
【相違点】
（１）ある組の活性光センサ及びビデオライン，補正コンデンサの数が，本願発明は「第１」，「第２」の２個であるのに，引用発明は４個である点。
　
（２）本願発明が「受光しないようになされており，前記第１のビデオライン上に基準信号を出力する少なくとも１つの暗光センサ」と，「前記多重化ノードの下流の信号にオフセット補正を実施するための最終補正手段であって，前記多重化ノードと接続された主補正コンデンサを含み，前記主補正コンデンサが前記活性光センサからの電圧信号に前記第１のビデオライン及び前記第２のビデオラインから影響を与えるために補正電荷を保持する最終補正手段と，前記主補正コンデンサにおける前記補正電荷を決定する手段であって，前記暗光センサからの複数の電圧信号を時間的にサンプリングしかつ前記暗光センサからの複数のサンプリングされた電圧信号に基づいて前記補正電荷を生成する決定手段」とを含み，信号のオフセット補正を実施するのに対し，引用発明は，サンプルホールド回路２４を含み，撮像素子に含まれる基準電位のレベル変動に起因するレベル変動を除去するものである点。
　
第４　当審の判断
　まず，上記相違点（１）について検討する。
　引用発明は，通常４個程度の固体撮像素子を長手方向に一列に配設したものであるが，実際何個の固体撮像素子を配列するかは，撮像対象とする原稿の最大の大きさや，コストなどを考慮して決定すべきものであるから，引用発明において，４個の組の固体撮像素子およびビデオライン，補正コンデンサを２個とすることは，当業者が適宜なし得た設計事項である。
　
　次に，上記相違点（２）について検討する。
　引用例２に記載された技術は，前記「第２」に記載したとおりのものである。
　ここで，引用例２に記載された技術における「暗光センサ信号」は，暗光センサからの信号であるから，本願発明の「基準信号」に相当する。したがって，引用例２に記載された技術における，光にさらされないものであって，活性光センサと同じ共通ビデオライン１０８に接続され，共通ビデオラインに暗光センサ信号を出力する複数の暗光センサは，本願発明の「受光しないようになされており，前記第１のビデオライン上に基準信号を出力する少なくとも１つの暗光センサ」に相当する。
　引用例２に記載された技術において，ビデオ信号のオフセットを決定するものであって，補正コンデンサを含み，暗光センサ信号と基準電圧ＶＲＥＦの両方で表される“補正電荷”と呼ばれる電荷を補正コンデンサ１３０に蓄積し，補正コンデンサ１３０を介して，全走査線にわたって活性光センサからの全ての電圧信号の大きさに影響を与える構成は，本願発明の「信号にオフセット補正を実施するための最終補正手段であって，主補正コンデンサを含み，前記主補正コンデンサが活性光センサからの電圧信号にビデオラインから影響を与えるために補正電荷を保持する最終補正手段」に相当する。
　引用例２に記載された技術は，暗光センサＤ３からの信号を多くのスキャンラインにわたってサンプリングするものであるから，本願発明と同様，「暗光センサからの複数の電圧信号を時間的にサンプリング」するものといえる。また，引用例２に記載された技術における，補正コンデンサに用いられる電荷は，暗光センサＤ３からサンプリングされた多数の値を平均化したものであるから，補正コンデンサ１３０に用いられる電荷は，本願発明と同様，「暗光センサからの複数のサンプリングされた電圧信号に基づいて」「生成」されたものといえる。したがって，引用例２に記載されたＲＣ回路は，本願発明の「主補正コンデンサにおける補正電荷を決定する手段であって，暗光センサからの複数の電圧信号を時間的にサンプリングしかつ前記暗光センサからの複数のサンプリングされた電圧信号に基づいて前記補正電荷を生成する決定手段」に相当する。
　そして，引用発明において，撮像信号に含まれる基準電位のレベル変動に起因するレベル変動を除去するサンプルホールド回路は，基準電圧の補正，つまりオフセット補正を行うものといえるから，同じくオフセット補正技術である引用例２に記載された技術を，引用発明のサンプルホールド回路に代えて採用することに，困難な点はない。
　
　そして，これら相違点を総合的に考慮してみても当業者が推考し難い格別のものであるとすることはできず，本願発明の奏する効果を検討してみても，引用発明及び引用例２に記載された技術から想定される範囲を越えるものではない。
　
第５　むすび
　以上のとおり，本願発明は，引用発明及び引用例２に記載された技術に基づいて当業者が容易に発明をすることができたものであるから，特許法第２９条第２項の規定により特許を受けることができない。
　したがって，本願は，他の請求項について検討するまでもなく拒絶すべきものである。
　よって，原査定を取り消す，本願は特許をすべきものであるとする審判請求の趣旨は認められないから，結論のとおり審決する。